(57)【要約】【課題】携帯端末を保持した状態では被取付部に対して強固に固定されるとともに、携帯端末を取り外す際には被取付部から容易に取り外すことができる端末保持装置を提供する。【解決手段】端末保持装置は、携帯端末を保持し、被取付面に吸着により取り付けられる。携帯端末は、相互に対向する第１及び第２挟持部材により挟持される。被取付面に吸着される吸着部は、弾性体の一端に結合されている。端末保持装置を被取付面上に配置した状態で、携帯端末を保持するために第１挟持部材を第２挟持部材から離隔する方向へ移動させると、被取付面に吸着する吸着部が弾性体により引き上げられ、吸着部の被取付面に対する吸着力が増加する。その結果、携帯端末を取り付けたときに、端末保持装置は被取付面に対して強固に固定される。【選択図】図２
2015121245.tif 000002
【特許請求の範囲】
【請求項１】
被取付面に吸着する端末保持装置であって、
吸着部と、
一端が前記吸着部に結合された弾性体と、
携帯端末を保持するための第１挟持部材と、
前記第１挟持部材と対向し、前記第１挟持部材とともに前記携帯端末を挟持するための第２挟持部材と、
を備え、
前記第１挟持部材が前記第２挟持部材から離隔する方向へ移動したときに、前記被取付面に吸着している前記吸着部を前記弾性体が引き上げることにより、前記吸着部の前記被取付面に対する吸着力を増加させることを特徴とする端末保持装置。
【請求項２】
前記第１挟持部材は前記第２挟持部材よりも前記吸着部の近くに位置し、前記第１挟持部材が前記吸着部に近づく方向に移動したときに、前記吸着力が増加することを特徴とする請求項１に記載の端末保持装置。
【請求項３】
前記弾性体の他端に接続された弾性体保持部材と、前記第１挟持部材と前記弾性体保持部材との間に設けられた歯車と、を備え、
前記第１挟持部材の前記吸着部側への移動が前記歯車を介して前記弾性体保持部材に伝えられ、前記弾性体保持部材が前記弾性体を前記吸着部から離れる方向に引き伸ばして前記吸着力を増加させることを特徴とする請求項２に記載の端末保持装置。
【請求項４】
前記吸着部に固定されたケースを備え、前記第２挟持部材は、前記吸着部に近づく方向及び前記吸着部から離れる方向に移動可能に前記ケースに取り付けられていることを特徴とする請求項２又は３に記載の端末保持装置。
【請求項５】
前記第１挟持部材は前記第２挟持部材よりも前記吸着部から遠くに位置し、前記第１挟持部材が前記吸着部から離れる方向に移動したときに、前記吸着力が増加することを特徴とする請求項１に記載の端末保持装置。
【発明の詳細な説明】
【技術分野】
【０００１】
本発明は、端末装置を保持する端末保持装置に関する。
【背景技術】
【０００２】
従来から、車室内で端末装置を載置するための端末保持装置が知られている。例えば、特許文献１には、取り付けの際の土台として機能する吸盤により、車両のダッシュボードなどの被取付部の設置面（被取付面）に端末保持装置を取り付ける点が開示されている。また、特許文献２には、レバーを押し下げることで吸盤内を負圧にし、吸盤を被取付面に強固に固定することが可能なロック機構を備えた吸盤装置が開示されている。その他、本発明に関連する技術が特許文献３に開示されている。
【先行技術文献】
【特許文献】
【０００３】
【特許文献１】特開第４８２７９９６号
【特許文献２】特開２０１１−０９４７１５号公報
【特許文献３】特開２０１１−１３７５０８号公報
【発明の概要】
【発明が解決しようとする課題】
【０００４】
車内は振動が大きいため、スマートフォンなどの携帯端末を車両のダッシュボードなどに固定する場合には、端末保持装置により強固に固定する必要がある。その一方で、夏場などは車内が高温になるため、端末保持装置を車内に取り付けたまま放置すると、高温により部品などが劣化する恐れがある。
【０００５】
本発明は、上記のような課題を解決するためになされたものであり、携帯端末を保持した状態では被取付部に対して強固に固定されるとともに、携帯端末を取り外す際には被取付部から容易に取り外すことができる端末保持装置を提供することを主な目的とする。
【課題を解決するための手段】
【０００６】
請求項に記載の発明は、被取付面に吸着する端末保持装置であって、吸着部と、一端が前記吸着部に結合された弾性体と、携帯端末を保持するための第１挟持部材と、前記第１挟持部材と対向し、前記第１挟持部材とともに前記携帯端末を挟持するための第２挟持部材と、を備え、前記第１挟持部材が前記第２挟持部材から離隔する方向へ移動したときに、前記被取付面に吸着している前記吸着部を前記弾性体が引き上げることにより、前記吸着部の前記被取付面に対する吸着力を増加させることを特徴とする。
【図面の簡単な説明】
【０００７】
【図１】第１実施例に係る端末保持装置の斜視図である。
【図２】第１実施例に係る端末保持装置の動作を示す。
【図３】吸盤の吸着動作を示す。
【図４】第１実施例の変形例に係る端末保持装置の斜視図である。
【図５】第１実施例の変形例の機能を説明する図である。
【図６】第２実施例に係る端末保持装置の斜視図である。
【図７】第２実施例に係る端末保持装置の動作を示す。
【発明を実施するための形態】
【０００８】
本発明の好適な実施形態では、被取付面に吸着する端末保持装置であって、吸着部と、一端が前記吸着部に結合された弾性体と、携帯端末を保持するための第１挟持部材と、前記第１挟持部材と対向し、前記第１挟持部材とともに前記携帯端末を挟持するための第２挟持部材と、を備え、前記第１挟持部材が前記第２挟持部材から離隔する方向へ移動したときに、前記被取付面に吸着している前記吸着部を前記弾性体が引き上げることにより、前記吸着部の前記被取付面に対する吸着力を増加させる。
【０００９】
上記の端末保持装置は、携帯端末を保持し、被取付面に吸着により取り付けられる。携帯端末は、相互に対向する第１及び第２挟持部材により挟持される。被取付面に固定される吸着部は、弾性体の一端に結合されている。端末保持装置を被取付面上に配置し、携帯端末を保持するために第１挟持部材を第２挟持部材から離隔する方向へ移動させると、被取付面に吸着する吸着部が弾性体により引き上げられ、吸着部の被取付面に対する吸着力が増加する。その結果、携帯端末を取り付けたときに、端末保持装置は被取付面に対して強固に固定される。一方、携帯端末を取り外したときには、弾性体が元の状態に戻り、吸着部を引き上げる力が無くなるので、吸着部の被取付面に対する吸着力が減少する。よって、端末保持装置を被取付面から容易に取り外すことができる。
【００１０】
上記の端末保持装置の一態様では、前記第１挟持部材は前記第２挟持部材よりも前記吸着部の近くに位置し、前記第１挟持部材が前記吸着部に近づく方向に移動したときに、前記吸着力が増加する。この態様では、携帯端末を取り付ける際に、第１挟持部材を吸着部の方向、即ち被取付部の方向へ移動させることにより、端末保持装置を被取付部に固定することができる。
【００１１】
好適な例では、上記の端末保持装置は、前記弾性体の他端に接続された弾性体保持部材と、前記第１挟持部材と前記弾性体保持部材との間に設けられた歯車と、を備え、前記第１挟持部材の前記吸着部側への移動が前記歯車を介して前記弾性体保持部材に伝えられ、前記弾性体保持部材が前記弾性体を前記吸着部から離れる方向に引き伸ばして前記吸着力を増加させる。
【００１２】
他の好適な例では、上記の端末保持装置は、前記吸着部に固定されたケースを備え、前記第２挟持部材は、前記吸着部に近づく方向及び前記吸着部から離れる方向に移動可能に前記ケースに取り付けられている。
【００１３】
上記の端末保持装置の他の一態様では、前記第１挟持部材は前記第２挟持部材よりも前記吸着部から遠くに位置し、前記第１挟持部材が前記吸着部から離れる方向に移動したときに、前記吸着力が増加する。この態様では、携帯端末を取り付ける際に、第１挟持部材を吸着部と逆方向、即ち被取付部と逆方向へ移動させることにより、端末保持装置を被取付部に固定することができる。
【実施例】
【００１４】
以下、図面を参照して本発明の好適な実施例について説明する。
【００１５】
［第１実施例］
図１は、第１実施例に係る端末保持装置１０を示す。図１（ａ）は端末保持装置１０を斜め前方から見た斜視図であり、図１（ｂ）は端末保持装置１０を斜め後方から見た斜視図である。
【００１６】
図示のように、端末保持装置１０は、吸盤１１と、吸盤ハウジング１２と、ケース１３と、支持部材１４と、ボトムアーム１５とを備える。吸盤１１は、例えば車両のダッシュボードなどの被取付面に吸着する。吸盤ハウジング１２は吸盤１１を覆うカバーの役割を有する。ケース１３は、端末保持装置１０の本体を構成し、内部に後述する移動機構を収容している。
【００１７】
支持部材１４は、例えばスマートフォンなどの携帯端末を支持する部材であり、携帯端末の上端部を上方から支持する上側支持部１４ａを備える。ボトムアーム１５は、上下方向に移動可能に構成されており、携帯端末を下側から支持する。携帯端末は、上側支持部１４ａとボトムアーム１５とにより上下方向から挟持されて固定される。支持部材１４は、その背面側においてベース１８に取り付けられている。ベース１８は、ケース１３に固定されている。
【００１８】
図２は、端末保持装置１０の内部構造及び動作を示す。なお、図２は、端末保持装置１０の吸盤ハウジング１２及びケース１３を省略した側面図である。ケース１３の内部には、弾性体としてのバネ１６と、バネ保持部１７と、歯車３１とによる移動機構が設けられている。
【００１９】
バネ１６の下端は吸盤１１の上部１１ａに取り付けられており、バネ１６の上端はバネ保持部１７の下端に取り付けられている。バネ保持部１７の内側面１７ａは歯切りされて（歯が形成されて）おり、ボトムアーム１５の外側面１５ａも歯切りされている。歯車３１は、バネ保持部１７の内側面１７ａとボトムアーム１５の外側面１５ａとの間に保持され、ボトムアーム１５の移動に伴って移動する。具体的に、ボトムアーム１５が矢印４１の方向に、即ち吸盤１１に近づく方向に移動すると、その移動は歯車３１によりバネ保持部１７に伝達され、バネ保持部１７を矢印４２の方向、即ち、吸盤１１から離れる方向に移動させる。逆に、ボトムアームが矢印４１と逆方向に移動すると、歯車３１の動作によりバネ保持部１７は矢印４２と逆方向に移動する。
【００２０】
上記の構成において、吸盤１１は本発明の吸着部に相当し、ボトムアーム１５は第１支持部材に相当し、上側支持部１４ａは第２挟持部材に相当し、バネ１６は弾性体に相当し、バネ保持部１７は弾性体保持部に相当する。
【００２１】
次に、携帯端末を端末保持装置１０に取り付ける場合の動作を説明する。携帯端末が取り付けられていない状態では、ボトムアーム１５はバネ１６の定常状態に対応する位置、即ち張力が与えられていない状態のバネ１６の長さに対応する位置にある。携帯端末を取り付ける場合、利用者は携帯端末の下端を上方からボトムアーム１５の上面に押し当て、携帯端末ごとボトムアーム１５を下方、即ち矢印４１の方向へ移動させる。そして、携帯端末の上端を上側支持部１４ａの下側に潜り込ませて手を離す。これにより、携帯端末は上側支持部１４ａとボトムアーム１５との間に挟持される。
【００２２】
上記のように、携帯端末の取り付け操作中にボトムアーム１５は矢印４１の方向へ動かされる。また、支持部材１４はケース１３に固定されているので、携帯端末が取り付けられた後でも、ボトムアーム１５には携帯端末の下端から矢印４１の方向へ押し付ける力が働いている。よって、バネ１６には矢印４２方向へ引っ張る力が働き、吸盤１１を上方へ引き上げ、その結果、吸盤１１は被取付面３０に強固に吸着する。
【００２３】
図３は、吸盤１１の吸着動作を説明する図である。図３（ａ）は上へ引き上げる力が働いていないときの吸盤１１の断面図であり、図３（ｂ）は上へ引き上げる力が働いているときの吸盤１１の断面図である。
【００２４】
吸盤１１は、その底面に環状の吸着材１１ｂが取り付けられており、吸着材１１ｂが被取付面３０に当接している。環状の吸着材１１ｂの内側には、吸盤１１の底面と被取付面３０との間に空間３５が形成される。図３（ａ）に示すように、吸盤１１が上に引き上げられていない場合には、空間３５は吸着材１１ｂの厚さとほぼ同じ高さとなっている。
【００２５】
ここで、バネ１６の弾性力により吸盤１１の上部１１ａが上方向へ引き上げられると、図３（ｂ）に示すように、吸着材１１ｂが被取付面３０に密着したまま、吸盤１１の内側の部分、即ち吸着材１１ｂが取り付けられていない部分が上方向へ引き上げられ、その結果、空間３５が拡張する。これにより、空間３５内の負圧が増加し、吸着材１１ｂと被取付面３０との吸着力がより強力となり（ロック状態）、吸盤１１が被取付面３０に対してより強固に固定される。
【００２６】
次に、携帯端末を端末保持装置１０から取り外す場合の動作を説明する。利用者は、携帯端末の下端を下方向へ押し下げて携帯端末の上端を上側支持部１４ａから外し、携帯端末を取り外す。これにより、ボトムアーム１５は開放され、歯車３１及びバネ保持部１７を通じてバネ１６に与えられていた力が無くなるので、バネ１６が元の状態（張力が与えられていない状態）に戻る。その結果、吸盤１１の底面下に形成された空間３５の負圧が下がり、吸盤１１は図３（ｂ）に示す状態から図３（ａ）に示す状態に戻り、吸盤１１の被取付面３０に対する吸着力が弱まる（アンロック状態）。これにより、吸盤１１は被取付面３０から取り外し易くなる。
【００２７】
以上説明したように、第１実施例では、携帯端末を端末保持装置１０に取り付ける動作と連動して、吸盤１１の被取付面３０に対する吸着力が増加する。また、携帯端末を端末保持装置１０から取り外す動作と連動して、吸盤１１の被取付面３０に対する吸着力が弱まる。よって、携帯端末を端末保持装置１０に取り付けたときには吸盤１１を被取付面３０に強固に取り付けることができるとともに、携帯端末を端末保持装置１０から取り外したときには吸盤１１を被取付面３０から容易に取り外すことが可能となる。また、特許文献２、３のように、端末保持装置を被取付部に着脱する際に、別途設けられたロック機構を操作する必要もない。
【００２８】
さらに、第１実施例では、携帯端末の取り付け時に、吸盤１１を被取付面３０に押し当てる方向と、携帯端末をボトムアーム１５に押し当てる方向とが一致しているため、取り付け操作が容易となっている。例えば、端末保持装置１０を車両のダッシュボードなどの所定位置に配置した後、携帯端末をダッシュボード方向へ押し当てて取り付けることができるので、片手での取り付けも可能となる。
【００２９】
（変形例）
図４は、第１実施例の変形例に係る端末保持装置１０ｘを示す。端末保持装置１０ｘは、基本構造は図１に示す端末保持装置１０と同様であるが、ケース１３に対する支持部材１４の取り付け位置を上下方向に移動可能に構成されている。具体的には、図４に示すように、支持部材１４の前面にスリット１４ｂが形成され、スリット１４ｂを通じてベース１８の穴（図示せず）に挿入された調整ネジ１９により支持部材１４がベース１８に対して取り付けられている。調整ネジ１９を緩めることにより、支持部材１４がベース１８に対して上下方向、即ち吸盤１１及び被取付面３０から離れる方向及び近づく方向に移動可能となる。ベース１８はケース１３に固定されているため、支持部材１４のベース１８に対する位置を変更すると、ケース１３に対する相対的位置が変更される。端末保持装置１０ｘに取り付ける携帯端末のサイズ（縦方向の長さ）に応じて、ベース１８に対する支持部材１４の取り付け位置を上下方向に移動することにより、様々なサイズの携帯端末の取り付けが可能となる。
【００３０】
図５は、支持部材１４の取り付け位置を変更した例を示す。図５（ａ）に示すように、支持部材１４の背面側にあるベース１８に対して、支持部材１４が調整ネジ１９によって取り付けられている。図５（ａ）の状態に対して、調整ネジ１９を緩めて支持部材１４を上方向に移動させ、調整ネジ１９を締めて支持部材１４を固定すると図５（ｂ）の状態となる。これにより、支持部材１４の上側支持部１４ａとボトムアーム１５との距離が長くなり、サイズ（高さ）が大きい携帯端末を取り付けることが可能となる。逆に、サイズ（高さ）が小さい携帯端末を取り付ける際には、ベース１８に対して支持部材１４を下方向に移動させて固定すればよい。
【００３１】
［第２実施例］
図６は、第２実施例に係る端末保持装置２０を示す。図６（ａ）は端末保持装置２０を斜め前方から見た斜視図であり、図６（ｂ）は端末保持装置２０を斜め後方から見た斜視図である。
【００３２】
図示のように、端末保持装置２０は、吸盤２１と、吸盤ハウジング２２と、ケース２３と、トップアーム２４と、支持部材２５とを備える。吸盤２１は被取付面３０に吸着する。吸盤ハウジング２２は吸盤１１を覆うカバーの役割を有する。ケース２３は、端末保持装置２０の本体を構成し、内部に後述するバネ２６を収容している。
【００３３】
支持部材２５は、携帯端末を支持する部材であり、携帯端末の下端部を下方から支持する下側支持部２５ａを備える。トップアーム２４は、上下方向に移動可能に構成されており、携帯端末を上方から支持する。携帯端末５は、下側支持部２５ａとトップアーム２４とにより上下方向から挟持されて固定される。支持部材２５は、その背面側においてベース２８に取り付けられている。ベース２８は、ケース２３に固定されている。
【００３４】
図７は、端末保持装置２０の内部構造及び動作を示す。なお、図７は、端末保持装置２０の吸盤ハウジング２２及びケース２３を省略した側面図である。ケース２３の内部には、弾性体としてのバネ２６が設けられている。バネ２６の下端は吸盤２１の上部２１ａに取り付けられており、バネ２６の上端はトップアーム２４に取り付けられている。
【００３５】
上記の構成において、吸盤２１は本発明の吸着部に相当し、トップアーム２４は第１支持部材に相当し、下側支持部２５ａは第２挟持部材に相当し、バネ２６は弾性体に相当する。
【００３６】
次に、携帯端末を端末保持装置２０に取り付ける場合の動作を説明する。携帯端末が取り付けられていない状態では、トップアーム２４は、バネ２６の定常状態の長さに対応する位置にある。携帯端末を取り付ける場合、利用者は携帯端末の上端を下方からトップアーム２４に押し当て、携帯端末ごとトップアーム２４を上方、即ち矢印４３の方向へ移動させる。そして、携帯端末の下端を下側支持部２５ａの上側に収容して手を離す。これにより、携帯端末はトップアーム２４と下側支持部２５ａとの間に挟持される。
【００３７】
トップアーム２４が矢印４３の方向、即ち吸盤２１から離れる方向に移動すると、バネ２６が上方に引き上げられ、バネ２６の弾性力により吸盤２１の上部２１ａが上方に引き上げられる。これにより、図３を参照して説明したように、吸盤２１が被取り付け面３０に強固に吸着される。
【００３８】
次に、携帯端末を端末保持装置２０から取り外す場合の動作を説明する。利用者は、携帯端末の上端を上方向へ押し上げて携帯端末の下端を下側指示部２５ａから外し、携帯端末を取り外す。これにより、トップアーム２４は開放され、バネ２６は元の状態（張力が与えられていない状態）に戻る。その結果、吸盤２１の底面下に形成された空間の負圧が下がり、吸盤２１の被取付面３０に対する吸着力が弱まる。これにより、吸盤２１は被取付面３０から取り外し易くなる。
【００３９】
以上説明したように、第２実施例では、携帯端末を端末保持装置１０に取り付ける動作と連動して、吸盤２１の被取付面３０に対する吸着力が増加する。また、携帯端末を端末保持装置２０から取り外す動作と連動して、吸盤２１の被取付面３０に対する吸着力が弱まる。よって、携帯端末を端末保持装置２０に取り付けたときには吸盤２１を被取付面３０に強固に取り付けることができるとともに、携帯端末を端末保持装置２０から取り外したときには吸盤２１を被取付面３０から容易に取り外すことが可能となる。また、特許文献２、３のように、端末保持装置を被取付部３０に着脱する際に、別途設けられたロック機構を操作する必要もない。
【符号の説明】
【００４０】
１０、２０  端末保持装置
１１、２１  吸盤
１２、２２  吸盤ハウジング
１３、２３  ケース
１４、２５  支持部材
１５  ボトムアーム
１６、２６  バネ
１９  調整ネジ
２４  トップアーム
【図１】
2015121245.tif 000003
【図２】
2015121245.tif 000004
【図３】
2015121245.tif 000005
【図４】
2015121245.tif 000006
【図５】
2015121245.tif 000007
【図６】
2015121245.tif 000008
【図７】
2015121245.tif 000009